(57)【特許請求の範囲】
【請求項１】
コネクタボディ内への挿入によって装着されるカードのイジェクト装置と、装着されたカードを抜け止めするためのロック装置とを備えたカード用コネクタであって、
前記イジェクト装置は、カードの挿入に伴って押し込まれると共にカードの装着位置である前進位置とカードの挿入初期位置である後退位置との間でスライドするスライダと、そのスライダを前記後退位置側へ戻すように付勢するスプリングと、前記スライダのスライド動作を規制するカム機構であって、前記スライダのスライド位置を決定するピン部材と、該ピン部材が通るカム溝とを有するカム機構とを備え、
前記ロック装置は、前記スライダに設けられたロック部材であって、前記スライダに固定された基端と、前記カードに対して接近及び離間する方向に移動可能な自由端とを有し、それら基端と自由端との間に、該ロック部材が進入可能なように前記カードに設けられた凹部に進入可能な凸部が設けられているロック部材を備え、
前記コネクタボディは、前記カードの挿入口と、前記スライダの後退位置で前記ロック部材の自由端部をハウジングの外側方向へ退避させてロック状態を解除する凹部又は開口を有するハウジングと、そのハウジングを覆うメタルシェルであって、該メタルシェルの側板部に前記ピン部材を押さえつけるバネ部分を有するメタルシェルと、を備え、
前記スライダは、前記ハウジングに対してスライド可能に装着され、前記カム溝が設けられる本体部と、その本体部からスライダのスライド方向に延びる延長部であって、前記ロック部材が収容される横穴を有する延長部と、を備え、
前記横穴は、前記カム溝が設けられる前記ハウジング側の側面と前記カード側の側面とを貫通し、
前記スライダの前進位置で、前記ロック部材の凸部が前記横穴から突出して前記凹部に進入してカードがロック状態となり、前記スライダの後退位置で、前記ロック部材の自由端部が前記凹部又は開口へ退避してカードのロック状態が解除される、
ロック装置付きカード用コネクタ。
【請求項２】
前記ロック部材は、弾性のある金属板からなり、その金属板の一部を湾曲形成することで、前記凸部を形成してある、請求項１に記載のロック装置付きカード用コネクタ。
【請求項３】
前記ロック部材の自由端は、前記スライダの前進位置で、前記ハウジングの内面に接触して退避不可能に設定されている、請求項１又は２に記載のロック装置付きカード用コネクタ。
【請求項４】
前記スプリングは、前記コネクタボディと前記スライダとの間に設けられ、そのスライダの移動方向に対応する一方側に設けられた第１のスプリングと、他方側に設けられた第２のスプリングとを有する、請求項１〜３の何れか一に記載のロック装置付きカード用コネクタ。
【発明の詳細な説明】
【０００１】
【発明の属する技術分野】
本発明は、ＰＣカード、メモリスティック等のカード形デバイスを接続するカード用コネクタに関し、特に、カードのセット位置への挿入と、セット位置からの排出とを、いわゆるプッシュ・プッシュ操作によって行う方式のイジェクト装置を備えたコネクタの技術に関する。
【０００２】
【従来の技術】
この種のカード用コネクタは、実開平１−７５９８３号、実開平１−１５０３８７号公報等に記載されている。これらの公報に記載されているカード用コネクタにおいては、カード側の電極端子に対応する接点を備えた端子部材がコネクタボディに組み込まれている。更に、このコネクタボディーには、スライダをカードの挿入方向の前後にスライド自在に保持させている。そして、カードを挿入することにより、カードの先端がスライダ側の係合部に突き当たり、そのスライダがカードと共に押し込まれるように設計されている。
【０００３】
また、プッシュ・プッシュ操作を可能にするために、カム機構が採用されている。このカム機構は、カム部とそのカム部に対応するピン部材との組み合わせで構成されていて、スライダの下面とその下面に対応するコネクタボディの底面とに振り分けて配備されている。このカード用コネクタでは、カム部とピン部材とをコネクタボディーの厚さ方向に振り分けて配備しているため、カード用コネクタ全体の薄型化を図り難い。
【０００４】
この点に配慮したカード用コネクタとして、例えば特開平１１−１３５１９２号公報に記載されたものが知られている。この公報に記載のカード用コネクタでは、スライダを、その前進位置と後退位置、及びそれらの中間位置とに択一的に位置決めするためのカム機構を装備している。そして、カム機構のカム部とピン部材とを、スライダの側部とその側部に対向するコネクタボディの側壁とに振り分けて配置することで薄型化を図っている。
【０００５】
この種のカード用コネクタの中でも、特に近年において注目されている、マルチ・メディア・カード用のコネクタにおいては、長さ数センチ程度のメモリスティックを含む、より小型のカードが用いられている。そのため、このタイプのカード用コネクタでは、これを搭載する電子機器（例えばモバイルコンピュータ、デジタルカメラ、携帯型デジタルビデオカメラ等）の小型化、軽量化に寄与するために、カード用コネクタ自体のさらなる小型化、及び薄型化を図っている。
【０００６】
【発明が解決しようとする課題】
ところで、このプッシュ・プッシュ式のイジェクト装置を備えたカード用コネクタでは、コネクタボディに対するカードの装着状態において、カードを引っ張ると、容易に抜け出てしまう構成のものが多い。即ち、このカード用コネクタは、カードをプッシュしてイジェクトする構成としているものの、カードをプッシュしなくても、引き抜くことが可能である。これは、カード側の電極端子とコネクタ側の端子部材とが接触する摩擦力のみによって、カードをコネクタボディに保持させているからである。そのため、例えばカード内部のメモリに格納されているデータの授受を実行している途中でカードが抜け出てしまうと、データのみならずメモリまで破壊される恐れがある。
【０００７】
カードをコネクタボディへの装着位置に保持し、カードが不用意に抜け出すのを防止する技術として、特開昭６３−２４１８８７号公報に記載の技術がある。この技術では、カードの両側面に凹部を設け、その凹部に係合する保持部材をコネクタボディ側に設けることで、カードを装着位置に保持できるように配慮している。
【０００８】
この凹部に係合する保持部材には、金属板を湾曲させて凸部を形成し、その凸部を金属板の弾性を利用して凹部に係合させる構成や、コイルバネにより出没するピン部材を凹部に係合させる構成等を採用している。しかし、この技術においても、カードの保持状態でカードを引っ張ると、カードが抜け出る問題がある。即ち、従来のカード用コネクタには、コネクタボディにカードを保持状態でロックする機能が装備されていないか、装備されていてもカードを引っ張ることで容易に抜けてしまう問題がある。
【０００９】
また、このような小型のカード用コネクタでは、カム機構も極めて小型になるため、ゴミや塵埃の付着に弱く、誤動作する恐れがある。したがって、この点に対する対策も必要である。
【００１０】
よって、本発明の目的は、カードをコネクタボディに装着した状態では、カードを引っ張っても抜けないようにする、カードのロック装置を装備したカード用コネクタを提供することにある。
【００１１】
本発明の他の目的は、カードのロック装置を装備した場合でも、小型化、薄型化を図り易くしたカード用コネクタを提供することにある。
本発明のさらに他の目的は、ゴミや塵埃の付着を防止して、カム機構の動きを良好に保持することができるカード用コネクタを提供することにある。
【００１２】
【課題を解決するための手段】
本発明では、コネクタボディ内への挿入によって装着されるカードのイジェクト装置と、装着されたカードを抜け止めするためのロック装置とを備えたカード用コネクタであって、前記イジェクト装置は、カードの挿入に伴って押し込まれると共にカードの装着位置である前進位置とカードの挿入初期位置である後退位置との間でスライドするスライダと、そのスライダを前記後退位置側へ戻すように付勢するスプリングと、前記スライダのスライド動作を規制するカム機構とを備え、前記ロック装置は、前記スライダに設けられたロック部材と、そのロック部材が進入可能なように前記カードに設けられた凹部とを備え、且つ、前記スライダの前進位置で前記ロック部材が前記凹部に進入してカードがロック状態となり、前記スライダの後退位置でカードのロック状態が解除される構成とした。
【００１３】
本発明によれば、カードをコネクタボディに装着した状態で、カードをその装着位置に保持するロック装置を装備したので、カードを引っ張っても抜けないようにすることができる。これにより、カード内部のメモリに格納されているデータの授受を実行している途中ではカードが抜け出ることを防止し、データやメモリを確実に保護することができる。
【００１４】
前記ロック部材としては、前記スライダに固定された基端と、前記カードに対して接近及び離間する方向に移動可能な自由端とを有し、それら基端と自由端との間に前記凹部に進入可能な凸部が設けられている構成とすることが好ましい。ロック部材の基端をスライダに固定し、他端を自由端とすることで、ロック部材の作動に自由度を与え、しかも、ロック部材を簡素化することができるからである。
【００１５】
前記ロック部材は、弾性のある金属板からなり、その金属板の一部を湾曲させることで、前記凸部を設けた構成とすることもできる。このようにすれば、ロック部材を金属板の曲げ加工のみで容易に形成でき、金属板の弾性を利用して凸部の凹部に対する相対位置を変化させることが可能になる。
【００１６】
前記コネクタボディは、前記カードの挿入口を有するハウジングと、そのハウジングを覆うメタルシェルとを含み、前記スライダは、前記ハウジングの内面に沿って移動可能に設けられ、そのハウジングには、前記スライダの後退位置で前記ロック部材の自由端部をハウジングの外側方向へ退避させてロック状態を解除する凹部又は開口が設けられている構成とすることが好ましい。このように、ロック部材をスライダと共に移動させ、スライダの後退位置でロック部材の自由端を凹部又は開口により退避させてロック状態を解除できるようにしているので、ロック装置を極めて簡素化することができる。即ち、イジェクト装置のスライダにロック部材を組み込み、ハウジングに凹部又は開口を設けるだけで済む。したがって、このロック装置を装備しても、コネクタの薄型化や小型化に制約を受けることが殆どない。
【００１７】
前記ロック部材の自由端は、前記スライダの前進位置で、前記ハウジングの内面に接触して退避不可能に設定された構成とすることが好ましい。このようにすれば、カードをロック状態に保持するのに、単にハウジングの内面を利用するだけであり、特別な部材を付加する必要がなくなる。したがって、この点からもロック装置の簡素化を図ることが可能になる。
【００１８】
前記カム機構は、前記スライダの側面に設けられ、スライダの前進位置を決める第１のカム溝と、スライダの後退位置を決める第２のカム溝と、各カム溝に沿って案内され、スライダのスライド位置を決定するピン部材とを含み、前記ハウジングの側面部分が前記メタルシェルで覆われている構成とすることもできる。カム機構のあるハウジングの側面部分をメタルシェルで覆うことで、カム機構を塵埃等から保護して、誤作動等が生じないようにすることができる。
【００１９】
前記スプリングは、前記コネクタボディと前記スライダとの間に設けられ、そのスライダの移動方向に対応する一方側に設けられた第１のスプリングと、他方側に設けられた第２のスプリングとを有する構成とすることもできる。このようにすれば、第１のスプリングと第２のスプリングの両方によってスライダを後退位置に戻す方向に付勢する力を高め、しかも、スライダの両端をスプリングでガイドする構成となるため、スライダの作動も円滑にすることができる。
【００２０】
【発明の実施の形態】
以下、本発明をメモリスティック用コネクタに適用した実施の形態について説明する。図１はメモリスティックを装着したコネクタの平面図、図２はコネクタ自体の平面図、図３はその側面図、図４はその正面図、図５は図２のＸ−Ｘ線に沿った断面図、図６はロック部材を設けたスライダの斜視図、図７はスライダの側面図である。
【００２１】
このメモリスティック用コネクタ（以下、コネクタと称する）１は、全体として平面ほぼコ字型に形成されている。コネクタ１は、コネクタボディＢ内に挿入されるメモリスティック（以下、カードと称する）Ｃのイジェクト装置Ｊを備えている。コネクタボディＢは、カードＣの挿入口２１を有するハウジング２と、そのハウジング２を覆うメタルシェル３とで構成されている。
【００２２】
ハウジング２は絶縁性樹脂にて形成され、底板部２ａ（図５参照）と、アーム状に延びる左右の側壁部分２２、２３と、カードＣの挿入方向の前部に設けた端子装着部２４とを有する。端子装着部２４には、カードＣの電極端子（図示せず）と接触するコンタクト部４ａを有する端子部材４が複数組み込まれている。メタルシェル３は、薄い金属板の打ち抜き及び曲げ加工により形成され、上板部３１と、左右の側板部３２、３３とを有する（図２、図３参照）。
【００２３】
前記イジェクト装置Ｊは、カードＣの挿入に伴って押し込まれると共にカードＣの装着位置である前進位置（図１のα）とカードＣの挿入初期位置である後退位置（図１のβ）との間でスライドするスライダ５（図６参照）と、そのスライダ５をカードＣの後退位置側へ戻すように付勢するコイル状の第１のスプリング６ａ及び第２のスプリング６ｂと、スライダ５のスライド動作を規制するカム機構７とによって構成されている。
【００２４】
第１のスプリング６ａはスライダ５を押し戻す方向に付勢できるようにセットされ、第２のスプリング６ｂはスライダ５を引き戻す方向に付勢できるようにセットされている。したがって、第１のスプリング６ａは、スライダ５の前面に設けた位置決め穴５ｇとハウジング２の前壁２ａとの間にセットされている。第２のスプリング６ｂは、その一端がハウジング２の収容部２５内に設けた固定用突起１１に固定され、他端がスライダ５に設けた固定軸５４に固定されている。
【００２５】
カム機構７は、図７に示すように、スライダ５の側面に設けられ、スライダ５の前進位置を決める第１のカム溝５１と、スライダ５の後退位置を決める第２のカム溝５２と、各カム溝５１、５２に沿って案内され、スライダ５のスライド位置を決定するピン部材８とを備えている。そして、スライダ５は、ハウジング２の側壁部分２２の内側に沿って設けた収容部２５内に収容され、メタルシェル３の側板部３２で覆われている。
【００２６】
図６にスライダ５の拡大斜視図を、図７にスライダ５の拡大側面図を示す。これらの図に示すように、スライダ５は樹脂製であり、そのスライド方向を維持して円滑にスライドできる形状に設計されている。即ち、スライダ５は、ハウジング２に対してスライド可能に装着される本体部５ａと、その本体部５ａからスライダ５のスライド方向に延びる延長部５ｂとを有している。そして、この延長部５ｂに設けた横穴５ｃに収容する形態でロック部材１０が取り付けられている。
【００２７】
横穴５ｃは、スライダ５の両側面のうち、一方の側面（カム溝の設けられている側面）５ｄと他方の側面５ｅとの間で開口している。この横穴５ｃは、ロック部材１０の凸部１３及び自由端１２に対応する位置に設けられている。これにより、ロック部材１０の自由端１２は、横穴５３を通過してスライダ５の一方の側面５ｄの開口から出没可能に設定されている。
【００２８】
ロック部材１０は弾性のある金属板を曲げ加工して形成したもので、その一端（基端）１１が本体部５ａに固定され、他端（自由端）１２がフリーとなっている。ここでは、本体部５ａに孔を設けておき、その孔に基端１１を挿入して接着剤等により固定しているが、インサート成形によっても固定することができる。
【００２９】
基端１１と自由端１２との間には曲げ加工により形成した凸部１３が設けられている。この凸部１３は、カードＣの側面に設けた半円状の凹部１４に進入して互いに係合可能に形成されている。このロック部材１０は、その自由端１２が拘束された状態では、カードＣをハウジング２内に挿入するだけで凸部１３と凹部１４が容易に係合し、カードＣを抜き出す方向に力を加えた場合には、その係合状態を保持できるように設定されている。
【００３０】
ここで採用されている凸部１３の形状を具体的に説明する。凸部１３は、ストッパ面１３ａと傾斜面１３ｂとで形成されている。ストッパ面１３ａは凹部１４の内面に接触できるように凹部１４の深さ方向に延びている。傾斜面１３ｂは、凸部１３の頂点から自由端１２に向かいハウジング２の内面側へ傾斜した面である。これにより、カードＣを挿入するときには、傾斜面１３ｂの作用で、凸部１３が凹部１４内に進入しやすくなる。一方、凸部１３が凹部１４内に進入した係合状態から、カードＣを引き抜くときには、ストッパ面１３ａがその係合状態を保持するように作用する。
【００３１】
スライダ５の他方の側面５ｅには横穴５ｃが開口していて、ここから、ロック部材１０の凸部１３が突出している。さらに、このスライダ５の他方の側面５ｅには円弧状の曲面からなる当接面５ｆが設けられている。この当接面５ｆは次のような機能を持つ。カードＣの挿入途中で、カードＣの先端片側の面取りした縁部Ｃ１を当接面５ｆに突き当たらせることで、スライダ５をカードＣと共に前進可能にするためである。したがって、カードＣの装着位置とスライダ５の前進位置とが対応するように設定される。
【００３２】
スライダ５の後退位置を図８に示している。この位置はカードＣのイジェクト位置にも対応する。このスライダ５の後退位置において、ロック部材１０の自由端１２が外側へ退避できるようにするため、ハウジング２の側板部分２２に、開口２６を設けている。なお、この開口２６は側板部分２２が厚い場合には凹部でもよい。スライダ５の前進位置を図９に示している。この前進位置において、自由端１２の付近に側壁部分２２の内面２２ａが存在するように、開口２６を側壁部分２２に設ける位置や大きさを設定している。したがって、この前進位置では、ロック部材１０の自由端１２は内面２２ａよりも外側には退避不可能に設定されている。
【００３３】
メタルシェル３の側板部３１には、ピン部材８の自由端側の係合軸部８１がカム溝内に進入する方向に付勢するためのバネ部分３４が設けられている。このバネ部分３４は、メタルシェル３の側板部３２の一部を帯状に残して板バネ構造としたもので、その自由端３４ａの部分でピン部材８を押さえ付けることができる構成としている。
【００３４】
スライダ５の一方の側面に設けた第１のカム溝５１と第２のカム溝５２は、図７において矢印付きの一点鎖線で示すように、それぞれ往路Ｌ１と復路Ｌ２に対応している。ピン部材８の自由端はＬ字形に曲げられてその先端に係合軸部８１が形成されている。そして、この係合軸部８１が、スライダ５の後退位置において第１のカム溝５１の始端５１ａ部分に進入した状態となるように設定されている。
【００３５】
ピン部材８の基端もＬ字形に曲げられてハウジング２に対する支点軸部８２が形成されている。その支点軸部８２がハウジング２に支持されることで、支点軸部８２を中心に、ピン部材８の自由端側の係合軸部８１が各カム溝５１、５２に案内されて揺動可能に設定されている。
【００３６】
この図７及び図８〜図１１を参照してカム機構７の動き、及びロック部材１０の動作等について説明する。
図７におけるスライダ５とピン部材８との関係は、カードＣを挿入していない初期状態、あるいはカードＣの後退位置に対応している。コネクタ１内にカードＣを挿入すると、カードＣの先端Ｃ１部分がスライダ５の鉛直な当接面５ｆに突き当たってスライダ５を前方へスライド移動させる。このとき、第１プリング６ａは圧縮させられ、第２スプリング６ｂは伸張させられる。
【００３７】
この際、図８に示すようにロック部材１０の凸部１３がカードＣの凹部１４に進入して係合する。即ち、各スプリング６ａ、６ｂの反発力とカードＣを押す力との相互作用により、ロック部材１０が弾性変形させられる。この弾性変形は、ロック部材１０の自由端１２が図８において矢印Ａ方向に退避した後に復帰する形態の変形となる。この結果、凸部１３は凹部１４内に進入することができる。ここで、ピン部材８の係合軸部８１は、段付き面５０ａの存在により第２のカム溝５２方向への移動を阻止されることで、第１のカム溝５１に沿って相対移動する（往路Ｌ１）。
【００３８】
カードＣをさらに挿入するに従い、係合軸部８１は、第１のカム溝５１を通り、後端凹部５１ｂに突き当たる。このとき、係合軸部８１は戻り防止用の段付き面５０ｂ、５０ｃを通過して移動する。また、この状態で、カードＣの電極端子とコネクタ１の端子部材４のコンタクト部４ａとが電気的に接触し、カードＣの仮セット状態になる。
【００３９】
この状態で、カードＣの挿入を停止すると、第１及び第２のスプリング６ａ、６ｂの作用によりスライダ５は後退する方向へ移動する。その際、戻り防止用の段付き面５０ｃ、５０ｄの存在によって、係合軸部８１は第１のカム溝５１の終端５１ｃへと案内されて、そこへ位置決めされる。このとき、カードＣはスライダ５と共に若干後退するが、この状態においてもカードＣのコネクタ１に対する電気的接触状態は保持されている（図９参照）。したがって、この図９に示す状態がカードＣの正式セット状態（装着状態）となる。
【００４０】
この状態においては、スライダ５がロック部材１０と共にその前進位置までスライドしているため、ロック部材１０の自由端１２は、ハウジング２の側壁部分２２の内面２２ａと相対する形態となる。即ち、スライダ５の両方の側面に開口している横穴５ｃは、一方の側面５ｄ側の開口が側壁部分２２の内面２２ａで閉じられた形態となる。さらに、側壁部分２２に設けている開口２６も第２のスプリング６ｂで覆うわれ、自由端１２の付近には存在しない形態となる。
【００４１】
したがって、このカードＣの正式セット状態においては、カードＣを引き抜く方向に力を加えても、カードＣは抜けない。カードＣを引き抜く方向に力を加えると、凹部１４を介して凸部１３に力が加わり、ロック部材１０は弾性変形し、自由端１２が側壁部分２２の内面２２ａ側へ変位する。しかし、自由端１２が内面２２ａに突き当たるため、自由端１２はそれ以上に変位することはできない。その結果、凸部１３と凹部１４の係合状態は解除されずに維持される。これによりカードＣをコネクタ１から引き抜くことはできなくなるのである。
【００４２】
次に、カードＣをイジェクトする場合には、セット状態にあるカードＣの後端を押すことによりイジェクトする。即ち、カードＣを前進させる方向に押すと、スライダ５が前進する方向へ若干スライド移動することで、係合軸部８１が戻り防止用の段対面５０ｅを経由して第２のカム溝５２へと移動し、後端凹部５１ｄに突き当たる。
【００４３】
それ以上はカードＣを押すことができないので、カードＣを押すことを止めると、第１のスプリング６ａａの反発力と、第２のスプリング６ｂがスライダ５を引っ張る力にとより、スライダ５が後方へ押し戻される。これにより、カードＣがイジェクトされる。このとき、係合軸部８１は第２のカム溝５２を通り、その途中で段付き面５０ｆ通過し、初期位置５１ａに復帰する（復路Ｌ２（図７及び図８参照））。
【００４４】
この状態では、ロック部材１０の自由端１２の位置に、側壁部分２２の開口２６が存在する形態となるので、カードＣを引き抜くことができる。即ち、図８の状態でカードＣを引き抜く方向に力を加えると、ロック部材１０の凸部１３がカードＣの凹部１４を介して押され、ロック部材１０の自由端１２が矢印Ａ方向に変位する。この際、自由端１２は開口２６を通って外側へ変位することができるので、凸部１３が凹部１４から抜け出て互いの係合状態が解除される。これにより、カードＣを抜き出すことができる。
【００４５】
このように、ピン部材８の係合軸部８１は第１のカム溝５１を移動する往路Ｌ１と、第２のカム溝５２を移動する復路Ｌ２とを経由する動きを行うことで、カードＣの装着及びイジェクト操作を、プッシュ・プッシュ式の操作で行うことができる。更に、スライダ５に設けたロック部材１０と、側壁部分２２に設けた開口２６とからなるロック装置を備えているため、カードＣの不用意な抜き出しを確実に防止することができる。
【００４６】
また、本実施の形態では、スライダ５をハウジング２の側壁部分に沿って設けた収容部２５に収容しているため、コネクタボディＢの側方へ突出しないように構成することができる。これにより、コネクタボディーＢをカードＣの平面形状とほぼ同じ平面矩形に形成して凹凸のないシンプルな外観にすることができる。さらに、スライダ５に横穴５ｃを設けてそこへロック部材を装備したことで、薄型化に加えて小型化も図り易い構成とすることができる。
【００４７】
また、メタルシェル３の側面部分に、ピン部材８の係合軸部８１がカム機構７の各カム溝５１、５２内に進入する方向に付勢するバネ部分３４を設けた構成とすることによって、別途に組み込むバネ部材を不用とするだけでなく、コネクタ全体の薄型化及び小型化に寄与することができる。
【００４８】
【発明の効果】
以上のように、本発明のロック装置付きカード用コネクタによれば、カードをコネクタボディに装着した状態では、カードを引っ張っても抜けないようにすることができる。また、カードのロック装置を装備した場合でも、小型化、薄型化を図り易くすることができる。さらに、メタルシェルの側面部分でカム機構を覆う構成とすることで、ゴミや塵埃の付着を防止して、カム機構の動きを良好に保持することができる。
【図面の簡単な説明】
【図１】本発明のロック装置付きカード用コネクタにカードを挿入した状態の平面図
【図２】本発明のロック装置付きカード用コネクタの平面図
【図３】本発明のロック装置付きカード用コネクタの側面図
【図４】本発明のロック装置付きカード用コネクタの正面図
【図５】図２のＸ−Ｘ線に沿った断面図
【図６】本発明のロック装置付きカード用コネクタのスライダの斜視図
【図７】本発明のロック装置付きカード用コネクタのスライダの側面図
【図８】本発明のロック装置付きカード用コネクタの動作説明用の一部断面平面図
【図９】本発明のロック装置付きカード用コネクタの動作説明用の一部断面平面図
【図１０】図８の動作状態に対応するコネクタの側面図
【図１１】図９の動作状態に対応するコネクタの側面図
【符号の説明】
１  コネクタ
２  ハウジング
２２  側壁部分
２２ａ  内面
２５  収容部
２６  開口
３  メタルシェル
３２  側板部
４  端子部材
５  スライダ
５ｃ  横穴
５ｆ  当接面
５１  第１のカム溝
５２  第２のカム溝
６ａ  第１のスプリング
６ｂ  第２のスプリング
７  カム機構
８  ピン部材
８１  係合軸部
８２  支点軸部
１０  ロック部材
１１  基端
１２  自由端
１３  凸部
１４  凹部
Ｂ  コネクタボディ
Ｃ  カード
Ｊ  イジェクト装置
【図１】
0004365989.tif 000002
【図２】
0004365989.tif 000003
【図３】
0004365989.tif 000004
【図４】
0004365989.tif 000005
【図５】
0004365989.tif 000006
【図６】
0004365989.tif 000007
【図７】
0004365989.tif 000008
【図８】
0004365989.tif 000009
【図９】
0004365989.tif 000010
【図１０】
0004365989.tif 000011
【図１１】
0004365989.tif 000012